(57)【特許請求の範囲】
【請求項１】
個別のアドレスが割り当てられた操作スイッチのスイッチ操作を監視する操作スイッチ配線器具と、個別のアドレスが割り当てられたリレーの開閉を制御するリモコン配線器具とを信号線に接続し、前記操作スイッチ配線器具は、前記操作スイッチの操作に応じた操作情報とアドレス情報とを含む伝送信号を信号線に出力し、前記リモコン配線器具は、信号線を介して受信した伝送信号に含まれるアドレス情報が対応するリレーのアドレスに一致すると、前記アドレス情報に対応するリレーを開閉する遠隔監視制御システムに用いられる操作スイッチ配線器具であって、
前記操作スイッチとして、前記リレーのアドレスに対応付けたアドレスが個別に割り当てられて、対応するリレーを個別にオン／オフするための複数個の個別スイッチと、前記各個別スイッチの内の１乃至複数を１つのグループとして当該グループの個別スイッチに対応するリレーを一括してオン／オフするためのグループスイッチとを備えるとともに、各個別スイッチの押操作に応じて対応するリレーをオン／オフさせる伝送信号を出力する操作モード、又は、各個別スイッチの押操作に応じて当該個別スイッチを前記グループに登録するか否かを設定するグループ設定モードの何れかに動作モードを切り替えるモード切替手段を備え、
器体の前面には、前記各個別スイッチの押釦と前記グループスイッチの押釦と前記モード切替手段が配置され、
前記各個別スイッチの押釦及び前記モード切替手段を露出させた状態で前記器体の前面を覆うようにして前記器体に回動自在に取着され、回動動作に応じて裏面で前記グループスイッチの押釦を押すハンドル本体と、
前記各個別スイッチの押釦及び前記モード切替手段を露出させる位置と前記各個別スイッチの押釦及び前記モード切替手段を覆う位置との間で回動自在にハンドル本体に取着された扉体とを備えたことを特徴とする操作スイッチ配線器具。
【請求項２】
前記モード切替手段が押釦スイッチからなり、当該押釦スイッチの押操作に応じて、動作モードが操作モード又はグループ設定モードに交互に切り替えられることを特徴とする請求項１記載の操作スイッチ配線器具。
【請求項３】
前記複数の個別スイッチに割り当てられるアドレスの設定値の組み合わせを、個々の個別スイッチにそれぞれ割り付けるとともに、動作モードとして、何れかの個別スイッチが押操作されると当該個別スイッチに割り付けたアドレスの設定値の組み合わせに基づいて複数の個別スイッチのアドレスを設定するアドレス設定モードを設け、前記モード切替手段によって動作モードが操作モード、グループ設定モード又はアドレス設定モードの何れかに切り替えられることを特徴とする請求項１記載の操作スイッチ配線器具。
【請求項４】
前記モード切替手段が押釦スイッチからなり、当該押釦スイッチの押操作に応じて、動作モードが操作モード、グループ設定モード又はアドレス設定モードの何れかに所定の順番で切り替えられることを特徴とする請求項３記載の操作スイッチ配線器具。
【発明の詳細な説明】
【技術分野】
【０００１】
本発明は、照明負荷などの負荷の遠隔監視制御を行う遠隔監視制御システムに用いられる操作スイッチ配線器具に関するものである。
【背景技術】
【０００２】
従来から、図１１に示す構成の遠隔監視制御システムが知られている（例えば特許文献１参照）。この遠隔監視制御システムでは、２線式の信号線Ｌｓに、リレー付き親器（以下制御親器と称す）１０１と、複数台のリレー付き子器（以下制御子器とす）１０２，１０２と、複数台の操作スイッチ配線器具１０３〜１０５と、アドレス設定用端末器１０６とが接続（マルチドロップ接続）されている。
【０００３】
ここに、本システムでは負荷への電源供給をオン／オフするためのリレーを制御するリモコン配線器具として２種類の配線器具（制御親器１０１および制御子器１０２）を備え、制御親器１０１はリレーを８回路分、制御子器１０２はリレーを４回路分ずつ備えている。一方、操作スイッチ配線器具１０３には、複数の負荷を予め個々に設定した制御状態に一括して制御するためのパターンスイッチの操作釦１０３ａが複数個設けられ、各パターンスイッチの操作状態を監視している。また操作スイッチ配線器具１０４には、複数の負荷を同じ制御状態に一括して制御するためのグループスイッチの操作釦１０４ａが設けられ、グループスイッチの操作状態を監視している。また操作スイッチ配線器具１０５には、対応する負荷を個別にオン／オフするための個別スイッチの操作釦１０５ａが複数設けられ、複数の個別スイッチの操作状態を監視している。
【０００４】
制御親器１０１および制御子器１０２の備えるリレーと、操作スイッチ配線器具１０３〜１０５の備えるスイッチにはそれぞれ個別のアドレスが設定されており、制御親器１０１では、それらのアドレスを用いて操作スイッチ配線器具１０３〜１０５のスイッチおよび制御親器１０１、制御子器１０２のリレーを個別に認識する。
【０００５】
制御親器１０１は伝送制御装置としての機能を有しており、信号線Ｌｓに対して、図１２（ａ）に示すフォーマットの伝送信号Ｖｓを送出する。すなわち、信号送出開始を示すスタートパルス信号ＳＴ、伝送信号Ｖｓのモードを示すモードデータＭＤ、制御子器１０２や操作スイッチ配線器具１０３〜１０５を各別に呼び出すためのアドレスデータＡＤ、リレーや負荷を制御する制御データＣＤ、伝送誤りを検出するためのチェックサムデータＣＳ、制御子器１０２や操作スイッチ配線器具１０３〜１０５からの返送信号（監視データ）を受信するタイムスロットである信号返送期間ＷＴよりなる双極性（±２４Ｖ）の時分割多重信号であり、パルス幅変調によってデータが伝送されるようになっている（図１２（ｂ））。制御子器１０２および操作スイッチ配線器具１０３〜１０５では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。 
【０００６】
ここで、制御親器１０１から所望の制御子器１０２や操作スイッチ配線器具１０３〜１０５へデータを伝送する場合には、モードデータＭＤを制御モードとし、制御子器１０２の備えるリレーや操作スイッチ配線器具１０３〜１０５の備えるスイッチに割り当てたアドレスをアドレスデータＡＤとする伝送信号Ｖｓを信号線Ｌｓに送出すれば、アドレスデータＡＤに一致する制御子器１０２又は操作スイッチ配線器具１０３〜１０５が制御データＣＤを受け取り、信号返送期間ＷＴに監視データを返送する。制御親器１０１では送出した制御データＣＤと信号返送期間ＷＴに受信した監視データとの関係によって制御データＣＤが所望の制御子器１０２又は操作スイッチ配線器具１０３〜１０５に伝送されたことを確認する。制御子器１０２では受け取った制御データＣＤに従って対応するアドレスのリレーを制御する。また操作スイッチ配線器具１０３〜１０５では受け取った制御データＣＤに従ってリレーの動作確認表示を行なうための監視信号を出力する。 
【０００７】
また制御親器１０１は、通常時にはモードデータＭＤをダミーモードとした伝送信号Ｖｓを一定時間間隔で送出しており（常時ポーリング）、操作スイッチ配線器具１０３〜１０５が制御親器１０１に対して何らかの情報を伝送しようとするときには、ダミーモードの伝送信号Ｖｓのスタートパルス信号ＳＴに同期させて図１２（ｃ）のような割込信号Ｖｉを発生させる。このとき、割込信号を発生した操作スイッチ配線器具１０３〜１０５は割込フラグを設定して制御親器１０１との以後の情報授受に備える。制御親器１０１では割込信号Ｖｉを受信すると、モードデータＭＤを割込ポーリングモードとしかつアドレスデータＡＤの上位の半数のビットを順次増加させながら伝送信号を送出し、割込信号を発生した操作スイッチ配線器具１０３〜１０５では、割込ポーリングモードの伝送信号のアドレスデータＡＤの上位の半数のビットが操作スイッチ配線器具１０３〜１０５の備えるスイッチのアドレスの上位の半数のビットに一致するときに、信号返送期間ＷＴにアドレスの下位の半数のビットを制御親器１０１に返送する。
【０００８】
制御親器１０１が割込信号を発生した操作スイッチ配線器具１０３〜１０５のアドレス（つまり操作されたスイッチのアドレス）を獲得すると、モードデータＭＤを監視モードとし、獲得したアドレスデータＡＤを持つ伝送信号を信号線Ｌｓに送出するのであって、この伝送信号に対して操作スイッチ配線器具１０３〜１０５は伝送しようとする情報を信号返送期間ＷＴに返送するのである。最後に、制御親器１０１は割込信号を発生した操作スイッチ配線器具１０３〜１０５に対して割込リセットを指示する信号を送出し、操作スイッチ配線器具１０３〜１０５の割込フラグを解除する。以上のようにして、操作スイッチ配線器具１０３〜１０５から制御親器１０１への情報伝送は、制御親器１０１から操作スイッチ配線器具１０３〜１０５への４回の信号伝送（ダミーモード、割込ポーリングモード、監視モード、割込リセット）によって完了する。また制御親器１０１が所望の制御子器１０２の動作状態を知ろうとするときには、モードデータＭＤを監視データとした伝送信号を送出するだけでよい。 
【０００９】
上述の動作を簡単にまとめる。まず、各スイッチの操作釦１０３ａ〜１０５ａの操作により入力データが発生すると、操作スイッチ配線器具１０３〜１０５から入力データに対応した監視データを制御親器１０１に返送し、制御親器１０１では、操作されたスイッチのアドレスと自己の備えるリレーのアドレスとが対応関係にある場合は、このリレーを制御し、操作されたスイッチのアドレスが制御子器１０２の備えるリレーのアドレスと対応関係にある場合は、この制御子器１０２に制御データＣＤを伝送し、制御子器１０２により対応するリレーを制御させている。なお制御親器１０１では、パターンスイッチやグループスイッチとリレーとのアドレスの対応関係を管理しており、何れかのスイッチの操作に応じて複数回路のリレーを一括して制御することが可能である。
【００１０】
ところで、上述の操作スイッチ配線器具１０５は複数の個別スイッチの操作状態を監視する端末器であり、この操作スイッチ配線器具１０５の構成について図１３（ａ）〜（ｃ）を参照して説明する。
【００１１】
操作スイッチ配線器具１０５は、造営面に埋込配設される器体１１０を備え、器体１１０前面の右側部には８個の可撓片１１２が上下方向に並べて設けられ、各可撓片１１２の左側には負荷の動作状態を示すＬＥＤのような表示ランプ１１３が配置されている。各可撓片１１２は長手方向の一端側を除く全周にスリットが形成されて、一端側で器体１１０に片持ち支持されており、長手方向の他端側には円柱状の押釦１１２ａが一体に形成されている。器体１１０の内部には、各可撓片１１２に対向してタクトスイッチからなる個別スイッチ（図示せず）が収納されており、押釦１１２ａを押動して可撓片１１２を内側に撓ませることによって、可撓片１１２の裏面側で個別スイッチを押操作できるようになっている。また、器体１１０の内部にはロータリスイッチからなるアドレス設定スイッチが収納され、このアドレス設定スイッチの回転摘み１１４が器体１１０前面の中央部に露設されており、回転摘み１１４の回転位置に応じて８個の個別スイッチのアドレスが、１〜８、９〜１６、１７〜２４、２５〜３２、３３〜４０、４１〜４８の何れかに設定される。例えば回転摘み１１４を用いてアドレスを９〜１６に設定すると、８個の個別スイッチのアドレスが上から順番に９、１０、１１…１６に設定される。
【００１２】
また器体１１０の前面には化粧カバー１１１が取着される。化粧カバー１１１は、器体１１０の前面と略同じ大きさに形成された矩形板状のカバー本体１１６を有し、カバー本体１１６裏面の左右両側部に突設された弾性係止爪片（図示せず）を、器体１１０前面の左右両側部に開口する係止孔１１５に係止させることによって器体１１０の前面に取着されている。カバー本体１１６には、器体１１０の前面に設けられた押釦１１２ａおよび表示ランプ１１３に対向する部位に、押釦１１２ａおよび表示ランプ１１３を挿通させる貫通孔（図示せず）が形成されており、カバー本体１１６の前面側には可撓性を有する樹脂製の表銘板１１７が貼り付けられる。この表銘板１１７はメンブレンシートと呼ばれるもので、各押釦１１２ａに対向する部位には前方に向かって膨出する操作釦１０５ａが形成されている。また、表銘板１１７には、カバー本体１１６の裏面側に取り付けられたネームカード１１８と表示ランプ１１３とに対向する部位にそれぞれ光透過部１１９、１２０が形成されており、これらの光透過部を通してネームカード１１８の文字や表示ランプ１１３の光が外部より視認可能になっている。
【特許文献１】特開平３−９４５９７号公報
【発明の開示】
【発明が解決しようとする課題】
【００１３】
上記構成の遠隔監視制御システムでは、負荷を個別に操作する個別スイッチの操作を監視する操作スイッチ配線器具１０５と、グループスイッチ又はパターンスイッチの操作を監視する操作スイッチ配線器具１０３，１０４とを設けており、各個別スイッチのアドレスを設定したり、グループ制御やパターン制御で一括制御する負荷のアドレスを設定する場合には、専用のアドレス設定用端末器１０６を用意する必要があり、システム全体のコストアップの要因になっていた。またアドレス設定用端末器１０６を用いてグループ制御やパターン制御の設定を行う場合は、グループ制御やパターン制御の制御対象となる負荷のアドレスに対応させて、グループ番号やパターン番号（グループスイッチやパターンスイッチのアドレス）を設定しなければならず、専門の知識を有する作業者しか設定作業を行うことが出来ず、また設定に長時間を要するという問題があり、そのうえ設定作業中はシステム全体がアドレスの設定状態となるため、通常の負荷制御を行うことができないという問題もあった。
【００１４】
本発明は上記問題点に鑑みて為されたものであり、その目的とするところは、専用の設定器を用いることなく、グループ制御の対象とする負荷を容易に設定できる操作スイッチ配線器具を提供することにある。
【課題を解決するための手段】
【００１５】
上記目的を達成するために、請求項１の発明は、個別のアドレスが割り当てられた操作スイッチのスイッチ操作を監視する操作スイッチ配線器具と、個別のアドレスが割り当てられたリレーの開閉を制御するリモコン配線器具とを信号線に接続し、操作スイッチ配線器具は、操作スイッチの操作に応じた操作情報とアドレス情報とを含む伝送信号を信号線に出力し、リモコン配線器具は、信号線を介して受信した伝送信号に含まれるアドレス情報が対応するリレーのアドレスに一致すると、アドレス情報に対応するリレーを開閉する遠隔監視制御システムに用いられる操作スイッチ配線器具であって、操作スイッチとして、リレーのアドレスに対応付けたアドレスが個別に割り当てられて、対応するリレーを個別にオン／オフするための複数個の個別スイッチと、各個別スイッチの内の１乃至複数を１つのグループとして当該グループの個別スイッチに対応するリレーを一括してオン／オフするためのグループスイッチとを備えるとともに、各個別スイッチの押操作に応じて対応するリレーをオン／オフさせる伝送信号を出力する操作モード、又は、各個別スイッチの押操作に応じて当該個別スイッチをグループに登録するか否かを設定するグループ設定モードの何れかに動作モードを切り替えるモード切替手段を備え、器体の前面には、各個別スイッチの押釦とグループスイッチの押釦とモード切替手段が配置され、各個別スイッチの押釦及びモード切替手段を露出させた状態で器体の前面を覆うようにして器体に回動自在に取着され、回動動作に応じて裏面でグループスイッチの押釦を押すハンドル本体と、各個別スイッチの押釦及びモード切替手段を露出させる位置と各個別スイッチの押釦及びモード切替手段を覆う位置との間で回動自在にハンドル本体に取着された扉体とを備えたことを特徴とする。
【００１６】
この発明によれば、モード切替手段によって動作モードをグループ設定モードに切り替えると、個別スイッチを押操作することによって、当該個別スイッチをグループに登録するか否かを設定できるので、対応するリレーを個別にオン／オフするための個別スイッチを、グループ設定の手段として兼用することができ、したがって専用の設定器を使用しなくても、操作スイッチ配線器具自体でグループ設定を行うことができるから、グループ設定の設定作業が容易で、且つ、設定作業中も遠隔監視制御システムは通常の制御動作を行うから、負荷の制御が行えなくなることもない。しかも、グループスイッチとは別に個別スイッチを設けているので、通常はグループスイッチを用いてグループに登録されたリレーを一括してオン／オフしている場合でも、個別スイッチを用いて所望のリレーのみを個別にオン／オフすることができるから、使い勝手が向上する。
【００１７】
請求項２の発明は、請求項１の発明において、モード切替手段が押釦スイッチからなり、当該押釦スイッチの押操作に応じて、動作モードが操作モード又はグループ設定モードに交互に切り替えられることを特徴とする。
【００１８】
この発明によれば、押釦スイッチの押操作によって動作モードを操作モード又はグループ設定モードの何れかに切り替えることができる。
【００１９】
請求項３の発明は、請求項１の発明において、複数の個別スイッチに割り当てられるアドレスの設定値の組み合わせを、個々の個別スイッチにそれぞれ割り付けるとともに、動作モードとして、何れかの個別スイッチが押操作されると当該個別スイッチに割り付けたアドレスの設定値の組み合わせに基づいて複数の個別スイッチのアドレスを設定するアドレス設定モードを設け、モード切替手段によって動作モードが操作モード、グループ設定モード又はアドレス設定モードの何れかに切り替えられることを特徴とする。
【００２０】
この発明によれば、モード切替手段によって動作モードをアドレス設定モードに切り替えると、何れかの個別スイッチを押操作することで、この個別スイッチに割り付けたアドレスの設定値の組み合わせに基づいて、複数の個別スイッチのアドレスが設定されるので、各個別スイッチのアドレスを設定する手段を別途設ける必要がなく、部品数を減らして操作スイッチ配線器具の小型化や低コスト化を図ることができる。
【００２１】
請求項４の発明は、請求項３の発明において、モード切替手段が押釦スイッチからなり、当該押釦スイッチの押操作に応じて、動作モードが操作モード、グループ設定モード又はアドレス設定モードの何れかに所定の順番で切り替えられることを特徴とする。
【００２２】
この発明によれば、押釦スイッチの押操作によって動作モードを操作モード又はグループ設定モードの何れかに切り替えることができる。
【発明の効果】
【００２３】
本発明によれば、モード切替手段によって動作モードをグループ設定モードに切り替えると、個別スイッチを押操作することによって、当該個別スイッチをグループに登録するか否かを設定できるので、対応するリレーを個別にオン／オフするための個別スイッチを、グループ設定の手段として兼用することができ、したがって専用の設定器を使用しなくても、操作スイッチ配線器具自体でグループ設定を行うことができるから、グループ設定の設定作業を容易に行えるという効果があり、そのうえ設定作業中も遠隔監視制御システムは通常の制御動作を行うから、負荷の制御が行えなくなることもない。しかも、グループスイッチとは別に個別スイッチを設けているので、通常はグループスイッチを用いてグループに登録されたリレーを一括してオン／オフしている場合でも、個別スイッチを用いて所望のリレーのみを個別にオン／オフすることができるから、使い勝手が向上する。
【発明を実施するための最良の形態】
【００２４】
以下に本発明の実施の形態を図面に基づいて説明する。
【００２５】
（実施形態１）
本発明に係る操作スイッチ配線器具の実施形態１を図１〜図５に基づいて説明する。尚、以下の説明では特に断りがないかぎり、図２（ａ）の向きにおいて上下左右の方向を規定し、図２（ａ）中の正面を前面という。したがって図３中の右端は後端になる。
【００２６】
この操作スイッチ配線器具１は、従来技術で説明した遠隔監視制御システムに用いられるものであり、遠隔監視制御システムのシステム構成および動作については従来技術で説明したものと同様であるので、その説明は説明を省略する。
【００２７】
図５は操作スイッチ配線器具１の回路ブロック図であり、マイクロコンピュータよりなるコントロール部１ａと、後述する複数個（例えば８個）の個別スイッチ２０およびグループスイッチ２１からなる操作入力部１ｂと、後述のアドレス設定スイッチ２２からなるアドレス設定部１ｃと、後述のモード切替スイッチ２３（モード切替手段）からなるモード設定部１ｄと、信号線Ｌｓを介して伝送信号を受信する信号入力部１ｅと、信号線Ｌｓを介して伝送信号を送信する信号出力部１ｆと、個々の個別スイッチ２０に対応して設けた８個の発光ダイオードＬＤ１およびグループスイッチ２１に対応して設けた発光ダイオードＬＤ２からなる表示部１ｇと、信号線Ｌｓを介して送信される複極の伝送信号Ｖｓを全波整流することによって内部電源を生成する電源部１ｈとを主要な構成として備える。
【００２８】
図１は操作スイッチ配線器具１の分解斜視図であり、操作スイッチ配線器具１の器体１０は合成樹脂製のボディ１１とカバー１２とを結合して構成され、カバー１２の前面にはハンドル部材３０（ハンドル本体３１と扉体３２とからなる）が回動自在に取着される。この器体１０は、埋込型の配線器具用に規格化された一連の取付枠に３個まで取着可能な単位寸法の埋込型配線器具を短幅方向に３個並べた寸法（３個モジュール寸法）と略同じ寸法に形成されており、前面を露出させた状態で施工面に埋込配設される。
【００２９】
ボディ１１は前面が開口した縦長の略箱状であって、長手方向に沿う両側壁の前縁からは各一対の組立舌片１４が前方に向かって突設されている。一方、カバー１２は後面が開口した縦長の略箱状であって、長手方向に沿う両側壁には一対の組立突起１５が上下に離間して突設されており、この組立突起１５を組立舌片１４に設けた係止孔１３に係合させることで、ボディ１１とカバー１２とが結合されている。
【００３０】
カバー１２の上下両側壁の前縁からは取付片１６，１６が上下両側に向かってそれぞれ延出しており、各取付片１６には施工面に埋設された埋込ボックス（図示せず）にねじ止めするためのボックスねじを挿通する長孔１７と、壁材などに器体１０を直付けするための取付ねじを挿通するねじ挿通孔１８と、ハンドル部材３０を露出させる窓孔が前面に開口するプレート１００（図１３（ａ）参照）を取着するためのプレートねじ用のねじ孔１９とが少なくとも設けてある。
【００３１】
器体１０の内部には、タクトスイッチからなる８個の個別スイッチ２０と、タクトスイッチからなるグループスイッチ２１と、ロータリスイッチからなるアドレス設定スイッチ２２と、スライドスイッチよりなるモード切替スイッチ２３と、発光ダイオードＬＤ１，ＬＤ２とを含み、図５の回路を形成する回路部品が実装されたプリント配線板２４が収納されている。各８個の個別スイッチ２０および発光ダイオードＬＤ１はそれぞれ上下方向に並べてプリント配線板２４の左右両側部に列設されており、各個別スイッチ２０はプリント配線板２４の右側部に配列されるとともに、各発光ダイオードＬＤ１はプリント配線板２４の左側部において対応する個別スイッチ２０と略同じ高さ位置に配置されている。また、グループスイッチ２１はプリント配線板２４の上下方向略中央において個別スイッチ２０よりもやや左寄りの位置に配置され、このグループスイッチ２１に対応する発光ダイオードＬＤ２はプリント配線板２４の左側部においてグループスイッチ２１と略同じ高さ位置に配置されている。またアドレス設定スイッチ２２とモード切替スイッチ２３とはそれぞれグループスイッチ２１の下側に上下に並べて配置されている。なおボディ１１の背面には信号線Ｌｓを接続するためのねじ端子４６が設けられ、ねじ端子４６を介してプリント配線板２４と信号線Ｌｓとが電気的に接続されるようになっている。
【００３２】
一方、カバー１２の前面には、上述の８個の個別スイッチ２０およびグループスイッチ２１にそれぞれ対応する部位に、各個別スイッチ２０の操作子に被せた押釦２０ａを前後移動自在に挿通させる挿通孔２５ａと、グループスイッチ２１の押釦２１ａを前後移動自在に挿通させる挿通孔２５ｂとが貫設されるとともに、発光ダイオードＬＤ１，ＬＤ２にそれぞれ対向する部位に、発光ダイオードＬＤ１，ＬＤ２がそれぞれ備える直方体状のレンズ体を挿通させる挿通孔２６が貫設されている。また、カバー１２の前面には、アドレス設定スイッチ２２に対向する部位に、アドレス設定スイッチ２２の操作子２２ａを挿通させる挿通孔２７ａが貫設されるとともに、モード切替スイッチ２３の摘み２３ａをスライド移動自在に挿通させる挿通孔２７ｂが貫設されている。なお、アドレス設定スイッチ２２の操作子２２ａにはドライバなどの工具を用いて回転させるために溝２２ｂを形成してある。またカバー１２の前面には、操作子２２ａが挿通される挿通孔２７ａの周りに矩形板状の銘板２８が貼り付けられ、銘板２８に設けた透孔２８ａを通して操作子２２ａが露出している。なお銘板２８には、操作子２２ａの切替位置を示す目盛や、各目盛に切り替えた時に設定されるアドレスを示す数字（例えば「１〜８」、「９〜１６」など）が表示されている。
【００３３】
またカバー１２の前面側には、グループスイッチ２１の押操作を行うためのハンドル本体３１がカバー１２の前面を略覆う形で回動自在に取着されている（図２および図３参照）。カバー１２前面の左側端部には、ハンドル本体３１を枢着するために斜め前方に突出する一対の軸部２９が一体に突設してあり、軸部２９の前端部はカバー１２の長手方向に沿った円柱状に形成されている。一方、ハンドル本体３１は合成樹脂により矩形板状に形成されており、左右方向及び上下方向の寸法がプレート１００の窓孔の左右方向寸法および上下方向寸法と略同じ寸法に形成されている。ハンドル本体３１の背面の短手方向一端部には、図４（ａ）に示すように、板ばねにより形成された金属製の軸受用ばね体３３ｂをはめ込み用穴３３ａに装着した軸受部３３が設けてあり、はめ込み用穴３３ａに一対の軸部２９をはめ込むことによってハンドル本体３１は軸部２９を回動中心として回動自在に枢支される。なおハンドル本体３１裏面の他端側には一対の抜止片３４，３４が後方に向かって突設されており、各抜止片３４はカバー１２の前壁に設けた挿入孔１２ａを通してカバー１２の内側に挿入され、抜止片３４の先端の爪が挿入孔１２ａの周縁部と係止することによって、ハンドル本体３１の回動範囲を規制している。
【００３４】
またハンドル本体３１の裏面には、カバー１２の挿通孔２５ｂから露出するグループスイッチ２１の押釦２１ａに対向する部位に押突起３５が突設されており、ハンドル部材３０の右側部を押操作すると、ハンドル本体３１が軸部２９を支点にして回動して、裏面の押突起３５が押釦２１ａを押動することにより、グループスイッチ２１がオンになる。一方、ハンドル部材３０を押圧する力を無くすと、グループスイッチ２１の押釦２１ａや軸受用ばね体３３ｂなどの反力を受けてハンドル本体３１が復帰位置に戻り、グループスイッチ２１がオフになる。
【００３５】
またハンドル本体３１には、カバー１２の挿通孔２５ａに対向する位置に押釦２０ａを前後動自在に挿通させる丸孔３６が貫設されるとともに、挿通孔２７ｂに対向する位置にスライド摘み２３ａをスライド移動自在に挿通させる角孔３７が貫設され、さらに挿通孔２６に対向する位置に発光ダイオードＬＤ１，ＬＤ２のレンズ体を挿通させる透孔３８が貫設されている。
【００３６】
またハンドル本体３１には、個別スイッチ２０の押釦２０ａと、モード切替スイッチ２３のスライド摘み２３ａと、個別スイッチ２０に対応して設けた発光ダイオードＬＤ１とが露出する部位を開閉自在に覆う扉体３２が回動自在に枢着されている。扉体３２は矩形板状であって、左側部の上下両端部から側方に向かって突出するアーム４０，４０が一体に形成されている。ハンドル本体３１の左端部には他の部位よりも前方に突出する突台部４１が設けられ、この突台部４１の上下両側面には軸孔４１ａが形成されている。而して扉体３２は、アーム４０の先端に設けた軸（図示せず）を、突台部４１の上下両側面の軸孔４１ａに枢支させることによって、押釦２０ａ、スライド摘み２３ａ及び発光ダイオードＬＤ１を露出させる位置と、押釦２０ａ、スライド摘み２３ａ及び発光ダイオードＬＤを覆う位置とを選択自在としてハンドル本体３１の前面に回動自在に取着されている。なおハンドル本体３１又は扉体３２には、扉体３２が閉じた状態を保つためのラッチ手段を備えておくことが好ましい。
【００３７】
扉体３２の前面側には矩形板状のネームカバー４２が嵌め込まれる嵌合凹所３２ａが形成され、この嵌合凹所３２ａの底部には扉体３２を厚み方向に貫通する窓孔３２ｂが形成されており、嵌合凹所３２ａ内に前面側からネームカード４３を収めた状態で、ネームカバー４２を前面側からはめ込むと、ネームカバー４２と窓孔３２ｂの周縁部との間にネームカード４３が保持される。この時、ネームカバー４２の中央部に設けた透過窓４２ａを通してネームカード４３の前面の表示（グループスイッチ２１による制御対象の表示）を前面側から目視できるとともに、嵌合凹所３２ａに設けた窓孔３２ｂを通してネームカード４３の裏面の表示（個別スイッチ２０による制御対象の表示）を裏面側からも目視できるようになっている。また扉体３２の左端部には、ハンドル本体３１に設けた透孔３８に対向する部位に、上下方向に沿って走る凹溝３２ｃが形成され、この凹溝３２ｃには長尺の表示ライン４４が嵌め込まれている。なお凹溝３２ｃの底面には、グループスイッチ２１に対応して設けた発光ダイオードＬＤ２と対向する部位に扉体３２を厚み方向に貫通する窓孔３９が形成されており、発光ダイオードＬＤ２の光が窓孔３９と表示ライン４４に設けた透光窓４４ａとを通して外部から視認できるようになっている。
【００３８】
次にこの操作スイッチ配線器具１を組み立てる手順について説明する。先ず回路部品が実装されたプリント配線板２４をボディ１１の内部に収納した後、ボディ１１の前面にカバー１２を被せ、組立舌片１４の係止孔１３に組立突起１５を係合させることでボディ１１とカバー１２とを結合し、器体１０の組立を完了する。このときプリント配線板２４に実装された個別スイッチ２０およびモード切替スイッチ２３の操作子には、それぞれ、押釦２０ａおよびスライド摘み２３ａが被せられており、押釦２０ａおよびスライド摘み２３ａはカバー１２に設けた挿通孔２５ａ，２７ｂを通して前方に突出する。また発光ダイオードＬＤ１，ＬＤ２と、グループスイッチ２１の押釦２１ａと、アドレス設定スイッチ２２の操作子２２ａは、カバー１２に設けた挿通孔２６，２５ｂ，２７ａを通してカバー１２の前面に露出する。次にハンドル部材３０の組立について説明する。扉体３２の嵌合凹所３２ａ内にネームカード４３を収納した状態で、前面側から嵌合凹所３２ａ内にネームカバー４２を嵌め込むとともに、凹溝３２ｃに表示ライン４４を嵌め込んで、扉体３２に表示ライン４４を固定する。そして扉体３２のアーム４０，４０に設けた軸部を、ハンドル本体３１の突台部４１の上下面に設けた軸孔４１ａに軸支させることによって、扉体３２をハンドル本体３１の前面側に回動自在に取着し、ハンドル部材３０の組立を完了する。器体１０およびハンドル部材３０の組立がそれぞれ完了すると、ハンドル部材３０を器体１０の前面に被せて、ハンドル本体３１の背面に設けた軸受部３３に器体１０の軸部２９を嵌め込むとともに、ハンドル本体３１の抜止片３４をカバー１２の挿入孔１２ａに挿入することによって、ハンドル部材３０が器体１０の前面に対して回動自在に取着され、操作スイッチ配線器具１の組立が完了する。
【００３９】
図２は操作スイッチ配線器具１の組立完了状態を示しており、同図（ａ）のように扉体３２を閉じた状態では、個別スイッチ２０およびモード切替スイッチ２３の操作を行うことはできず、ハンドル部材３０を押操作することで、グループスイッチ２１の操作のみ行うことができ、透光窓４４ａを通して発光ダイオードＬＤ２の点灯状態を視認することが可能になっている。一方、同図（ｂ）のように扉体３２を開くと、個別スイッチ２０の押釦２０ａやモード切替スイッチ２３のスライド摘み２３ａを操作したり、発光ダイオードＬＤ１，ＬＤ２の点灯状態を視認することが可能になる。
【００４０】
この操作スイッチ配線器具１には８個の個別スイッチ２０が設けられており、各個別スイッチ２０のアドレスを、制御親器１０１又は制御子器１０２が備えるリレーのアドレスと対応付けることによって、各個別スイッチ２０の操作に応じて対応するリレーを開閉することができる。この操作スイッチ配線器具１を用いる遠隔監視制御システムでは最大で４８個のリレーを制御することができ、４８個のリレーを８個ずつ６つのグループに分けることによって、１台の操作スイッチ配線器具１で１グループ分のリレーの操作を行えるようにしている。そして４８個のリレーに対して１から４８までのアドレスを割り当てているので、例えばアドレス番号が１〜８、９〜１６、１７〜２４、２５〜３２、３３〜４０、４１〜４８のリレーをそれぞれ１つのグループとして、１台の操作スイッチ配線器具１により１グループ分の制御を行っている。なお操作スイッチ配線器具１の備える８個の個別スイッチ２０には、上側から順番に連続したアドレスが昇順で割り当てられる。ハンドル部材３０を外した状態で、器体１０の前面に露出するアドレス設定スイッチ２２の操作子２２ａをドライバなどの工具で回転させると、先頭アドレス（一番上にある個別スイッチ２０のアドレス）が１、９、１７、２５、３３、４１の８通りに切り替えられるので、８個の個別スイッチ２０に割り当てたアドレスの組み合わせが１〜８、９〜１６、…、４１〜４８の何れかに切替設定されるのである。
【００４１】
また、扉体３２を開いた状態でモード切替スイッチ２３のスライド摘み２３ａを操作すると、配線器具の動作モードが、各個別スイッチ２０およびグループスイッチ２１の押操作に応じて対応するリレーをオン／オフさせる伝送信号を出力する操作モード、又は、個別スイッチ２０の押操作に応じてグループスイッチ２１により一括操作されるグループに当該個別スイッチ２０を登録するか否かを設定するグループ設定モードの何れかに切り替えられる。
【００４２】
ここで、扉体３２を開いた状態でモード切替スイッチ２３のスライド摘み２３ａをＯＦＦ側に切り替えると、コントロール部１ａの動作モードが操作モードに切り替わる。この操作モードにおいて個別スイッチ２０の押釦２０ａが押操作されると、押操作された個別スイッチ２０から操作入力がコントロール部１ａに与えられ、上述の割込処理を経て信号出力部１ｆから制御親器１０１へ押操作された個別スイッチ２０のアドレスを監視データとする伝送信号Ｖｓが送信される。この時、制御親器１０１では、受信した伝送信号Ｖｓに含まれるアドレスが制御親器１０１の備えるリレーのアドレスと一致していれば、このリレーの開閉を制御し、一致していなければ対応する制御子器１０２に制御信号を送信し、制御子器１０２により対応するアドレスのリレーを開閉させるのである。その後、制御親器１０１から操作スイッチ配線器具１に対して対応するリレーの制御状態が返送されると、コントロール部１ａが、対応する発光ダイオードＬＤ１を赤色（負荷ＯＮ時）又は緑色（負荷ＯＦＦ時）で点灯させるので、発光ダイオードＬＤ１の発光色をもとに負荷のＯＮ／ＯＦＦを把握することができる。
【００４３】
また操作モードにおいて、図２（ａ）のように扉体３２を閉じた状態でハンドル部材３０（つまり扉体３２）の右側部を押すと、ハンドル部材３０が軸部２９を中心に回動し、ハンドル本体３１の裏面に設けた押突起３５でグループスイッチ２１の押釦２１ａが押操作され、グループスイッチ２１からの操作入力がコントロール部１ａに与えられる。この時、コントロール部１ａでは、後述のグループ設定モードにおいて一括制御のグループに登録された個別スイッチ２０のアドレスを、上述の割込処理を経て信号出力部１ｆから制御親器１０１へ伝送信号Ｖｓにより送信させ、制御親器１０１により上述と同様の処理を行わせて、グループに登録された個別スイッチに対応するリレーを制御させる。その後、制御親器１０１から操作スイッチ配線器具１に対して上記グループに対応するリレーの制御状態が返送されるので、コントロール部１ａは、グループスイッチ２１に対応して設けた発光ダイオードＬＤ２を点灯（グループＯＮ時）又は消灯（グループＯＦＦ時）させることで、一括制御対象のリレー（つまり負荷）のオン／オフ状態を表示することができる。
【００４４】
一方、扉体３２を開いた状態でモード切替スイッチ２３のスライド摘み２３ａをＯＮ側に切り替えると、コントロール部１ａの動作モードがグループ設定モードに切り替わる。このグループ設定モードにおいて、一括制御のグループに登録されていない個別スイッチ２０の押釦２０ａを押操作すると、コントロール部１ａはこの個別スイッチ２０をグループに登録するとともに、対応する発光ダイオードＬＤ１を例えば赤色で点灯させる。また、グループ設定モードにおいて一括制御のグループに登録されている個別スイッチ２０の押釦２０ａを押操作すると、コントロール部１ａはこの個別スイッチ２０をグループから除外するとともに、対応する発光ダイオードＬＤ１を消灯させる。すなわちグループ設定モードにおいては個別スイッチ２０を押操作しても、グループに登録するか否かが切り替わるだけで、対応する負荷をオン／オフすることはできない。そして、グループの設定作業が終了した場合に、モード切替スイッチ２３のスライド摘み２３ａをＯＦＦ側に切り替えると、グループに登録された個別スイッチ２０のアドレスが記憶され、コントロール部１ａの動作モードが操作モードに切り替わる。
【００４５】
以上説明したように本実施形態では操作スイッチ配線器具１が備える複数個（例えば８個）の個別スイッチ２０を用いて対応するリレーを個別にオン／オフできるとともに、ハンドル部材３０を用いてグループスイッチ２１を押操作することで、一括制御のグループに登録された１乃至複数の個別スイッチ２０に対応するリレーを一括してオン／オフすることができる。したがって、通常時はグループスイッチ２１を用いて複数の負荷（例えば照明器具など）を一括してオン／オフするとともに、特定の負荷のメンテナンス時（例えばランプ交換時など）には、扉体３２を開いて対応する個別スイッチ２０を押操作することで、所望の負荷のみオフすることができるから、使い勝手が向上するという利点がある。さらに、モード切替スイッチ２３を用いてコントロール部１ａの動作モードをグループ設定モードに切り替えると、個別スイッチ２０を押操作することによって、当該個別スイッチ２０を一括制御のグループに登録するか否かを設定できるので、個々のリレーをオン／オフするために設けた個別スイッチ２０を、グループ設定の手段として兼用することができ、専用の設定器を使用しなくても、操作スイッチ配線器具自体でグループ設定を行うことができる。しかも個別スイッチ２０を押操作することで、この個別スイッチ２０を一括制御対象のグループに登録するか否かが設定できるから、専門的な知識を持たないユーザでも感覚的にグループ設定が行え、設定作業を簡単にできる。さらにグループ制御の対象を設定する間も遠隔監視制御システムは通常の制御動作を行うから、この間に負荷の制御が行えなくなることもない。
【００４６】
（実施形態２）
本発明の実施形態２を図６〜図８に基づいて説明する。実施形態１ではモード切替手段をスライドスイッチからなるモード切替スイッチ２３で構成しているのに対して、本実施形態では図６及び図７に示すように、タクトスイッチのような押釦スイッチからなるモード切替スイッチ４５を用い、モード切替スイッチ４５を押操作する毎に、コントロール部１ａの動作モードを、操作モード又はグループ設定モードの何れかに交互に切り替えている。尚、モード切替スイッチ４５以外の構成は実施形態１と同様であるので、共通する構成要素には同一の符号を付して、その説明は省略する。
【００４７】
本実施形態ではプリント配線板２４の下側部にタクトスイッチからなるモード切替スイッチ４５と、モード表示用の発光ダイオードＬＤ３とを左右に並べて実装してあり、カバー１２の前面に設けた挿通孔２７ｂ内にモード切替スイッチ４５の押釦４５ａを前後移動自在に挿入すると共に、カバー１２の前面に設けた挿通孔２７ｃを通して発光ダイオードＬＤ３のレンズ体を前面側に露出させている。またハンドル本体３１の前面には、モード切替スイッチ４５の押釦４５ａおよび発光ダイオードＬＤ３のレンズ体にそれぞれ対向する部位に挿通孔３７ａ，３７ｂが形成されており、挿通孔３７ａから露出する押釦４５ａをハンドル本体３１の前面側から押操作できるとともに、挿通孔３７ｂを通して発光ダイオードＬＤ３の光を視認可能になっている。
【００４８】
次に本実施形態の動作について説明する。なお、操作モードおよびグループ設定モードにおける動作は実施形態１で説明したのと同様であるので、その説明は省略し、動作モードを切り替える際の動作について説明する。
【００４９】
このスイッチの動作モードを切り替える際は、扉体３２を開いた状態で、タクトスイッチからなるモード切替スイッチ４５の押釦４５ａを押操作すると、１回押し操作する毎にコントロール部１ａの動作モードが操作モード又はグループ設定モードの何れかに交互に切り替えられる。
【００５０】
そして、動作モードが操作モードに切り替えられた場合、コントロール部１ａは発光ダイオードＬＤ３を緑色で点灯させるとともに、各個別スイッチ２０およびグループスイッチ２１にそれぞれ対応して設けた発光ダイオードＬＤ１、ＬＤ２を、対応する負荷又はグループのＯＮ／ＯＦＦに応じて赤色（負荷ＯＮ時）或いは緑色（負荷ＯＦＦ時）で点灯させる。つまり操作モードにおいては、実施形態１で説明したように各個別スイッチ２０又はグループスイッチ２１の操作に応じて、対応する個々のリレーのオン／オフ、或いは、グループ制御対象のリレーを一括してオン／オフできるようになっている。
【００５１】
一方、動作モードがグループ設定モードに切り替えられた場合、コントロール部１ａは発光ダイオードＬＤ３を赤色で点灯させるとともに、上記グループに登録された個別スイッチ２０に対応する発光ダイオードＬＤ１を赤色点灯させ、グループに登録されていない個別スイッチ２０に対応する発光ダイオードＬＤ１を消灯させている。このグループ設定モードにおいて、既にグループに登録されている個別スイッチ２０を押操作すると、コントロール部１ａがこの個別スイッチ２０をグループから除外するとともに、対応する発光ダイオードＬＤ１を消灯させる。一方、グループ設定モードにおいてグループに登録されていない個別スイッチ２０を押操作すると、コントロール部１ａはこの個別スイッチ２０をグループに登録するとともに、対応する発光ダイオードＬＤ１を赤色点灯させており、各発光ダイオードＬＤ１の点灯／消灯から対応する個別スイッチ２０がグループに登録されているか否かを容易に把握することができる。なお、グループ設定モードにおいては個別スイッチ２０を押操作しても、対応する負荷をオン／オフすることはできないようになっている。
【００５２】
ところで、実施形態１のようにモード切替スイッチ２３にスライドスイッチを用いる場合、スライドスイッチでは切替位置が保持されるため、グループ設定を終了した後にスライド摘み２３ａを操作モード側に戻す操作を使用者が忘れると、コントロール部１ａがグループ設定モードのままで動作を続け、負荷のオン／オフ操作が行えなくなる。それに対して本実施形態のようにモード切替スイッチ４５としてタクトスイッチを用いる場合、タクトスイッチは押操作する間だけ接点状態が反転するので、操作モードにおいてモード切替スイッチ４５が押操作されると、コントロール部１ａが、動作モードをグループ設定モードに切り換えるとともに、その後所定の設定時間が経過した時点で自動的に操作モードに復帰するようにしても良く、グループ設定モードのままで動作し続けて、負荷のオン／オフが行えなくなるといった不具合を防止できる。
【００５３】
また本実施形態では現在の動作モードを表示するための発光ダイオードＬＤ３を設けているが、図８に示すように発光ダイオードＬＤ３を無くして、グループ制御のＯＮ／ＯＦＦを表示する発光ダイオードＬＤ２で現在の動作モードを表示するようにしても良い。すなわちこの操作スイッチ配線器具１では、モード切替スイッチ４５によりコントロール部１ａの動作モードが操作モードに切り換えられている場合、コントロール部１ａがグループ制御のＯＮ／ＯＦＦに応じて発光ダイオードＬＤ２を赤色（負荷ＯＮ時）又は緑色（負荷ＯＦＦ時）で点灯させている。一方、モード切替スイッチ４５によりコントロール部１ａの動作モードがグループ設定モードに切り換えられた場合、コントロール部１ａは発光ダイオードＬＤ２を例えば緑色で点滅させており、発光ダイオードＬＤ２の点滅状態から動作モードがグループ設定モードに切り換えられたことを容易に把握することができる。そして、このグループ設定モードにおいて、何れかの個別スイッチ２０の押釦２０ａを押操作すると、この個別スイッチ２０を一括制御のグループに登録するか否かが設定されるのである。
【００５４】
（実施形態３）
本発明の実施形態３を図９に基づいて説明する。実施形態１ではモード切替スイッチ２３に２位置切替のスライドスイッチを用い、このモード切替スイッチ２３により動作モードを操作モード又はグループ設定モードの何れかに切替設定しているのに対して、本実施形態では、アドレス設定スイッチ２２を無くすと共に、３位置切替のスライドスイッチからなるモード切替スイッチ２３を用い、このモード切替スイッチ２３の切替操作に応じて、コントロール部１ａの動作モードを、操作モード、グループ設定モード又は各個別スイッチ２０のアドレスを設定するアドレス設定モードの何れかに切り替えるようにしてある。尚、モード切替スイッチ２３以外の構成は実施形態１と同様であるので、共通する構成要素には同一の符号を付して、その説明は省略する。
【００５５】
本実施形態の操作スイッチ配線器具１では、実施形態１で説明したように個別スイッチ２０を８個備えており、８個の個別スイッチ２０に割り当てるアドレスの設定値の組み合わせが６通りに切り替えられるようになっている。すなわち、図１０（ａ）中の一番上の個別スイッチ２０から６番目の個別スイッチ２０までに、それぞれ、アドレスの組み合わせとして、「１〜８」「９〜１６」「１７〜２４」「２５〜３２」「３３〜４０」「４１〜４８」が割り当てられており、カバー１２の前面にはアドレスの組み合わせを割り当てた個別スイッチ２０に対応する発光ダイオードＬＤ１の下側又は上側の位置に、設定値を示す文字（例えば「１〜８」「９〜１６」「１７〜２４」「２５〜３２」「３３〜４０」「４１〜４８」）を表示してある。
【００５６】
次に本実施形態の動作について説明する。なお、操作モードおよびグループ設定モードにおける動作は実施形態１で説明したのと同様であるので、その説明は省略し、動作モードを切り替える際の動作と、アドレス設定モードにおける動作について説明する。
【００５７】
このスイッチ（コントロール部１ａ）の動作モードを切り替える際は、扉体３２を開いた状態で、スライドスイッチからなるモード切替スイッチ２３のスライド摘み２３ａを操作すると、スライド摘み２３ａの切替位置に応じて動作モードが操作モード、グループ設定モード又はアドレス設定モードの何れかに切り替えられる。
【００５８】
そして、モード切替スイッチ２３を用いて動作モードが操作モードに切り替えられた場合、コントロール部１ａは、各個別スイッチ２０およびグループスイッチ２１にそれぞれ対応して設けた発光ダイオードＬＤ１、ＬＤ２を、対応する負荷又はグループのＯＮ／ＯＦＦに応じて赤色（負荷ＯＮ時）或いは緑色（負荷ＯＦＦ時）で点灯させる。この操作モードにおいては、実施形態１で説明したように各個別スイッチ２０又はグループスイッチ２１の操作に応じて、個々のリレーのオン／オフしたり、複数のリレーを一括してオン／オフできるようになっている。
【００５９】
一方、モード切替スイッチ２３を用いて動作モードがグループ設定モードに切り替えられた場合、コントロール部１ａは、上記グループに登録された個別スイッチ２０に対応する発光ダイオードＬＤ１を赤色点灯させるとともに、グループに登録されていない個別スイッチ２０に対応する発光ダイオードＬＤ１を消灯させる。このグループ設定モードにおいて既にグループに登録されている個別スイッチ２０を押操作すると、コントロール部１ａは、この個別スイッチ２０をグループから除外するとともに、対応する発光ダイオードＬＤ１を消灯させる。一方、グループ設定モードにおいてグループに登録されていない個別スイッチ２０を押操作すると、コントロール部１ａは、この個別スイッチ２０をグループに登録するとともに、対応する発光ダイオードＬＤ１を赤色点灯させており、各発光ダイオードＬＤ１の点灯／消灯からグループに登録されている個別スイッチ２０を容易に把握することができる。なお、グループ設定モードでは個別スイッチ２０を押操作しても、対応する負荷をオン／オフすることはできないようになっている。
【００６０】
次に、モード切替スイッチ２３を用いて動作モードがアドレス設定モードに切り替えられた場合、コントロール部１ａは、現在各個別スイッチ２０に割り付けたアドレスの組み合わせに対応する発光ダイオードＬＤ１を点灯させ、それ以外の発光ダイオードＬＤ１を消灯させる。そして、アドレス設定モードにおいて、所望のアドレスが割り当てられた個別スイッチ２０の押釦２０ａを押操作すると、コントロール部１ａは、押操作された個別スイッチ２０に予め割り当ててあるアドレスの組み合わせに基づいて、各個別スイッチ２０のアドレスを設定するとともに、対応する発光ダイオードＬＤ１を点灯させる。このように本実施形態では、複数（例えば６個）の個別スイッチ２０にアドレスの組み合わせを予め割り当てておき、アドレス設定モードにおいて所望のアドレスに対応した個別スイッチ２０を操作すると、この個別スイッチに予め割り当てておいたアドレスの組み合わせに基づいて、コントロール部１ａが個々の個別スイッチ２０にアドレスを割り付けるようになっているので、実施形態１又は２のスイッチに比べてアドレスを設定する手段（アドレス設定スイッチ２２）を別途設ける必要が無くなり、部品数を減らして操作スイッチ配線器具１の小型化や低コスト化を図ることができる。
【００６１】
（実施形態４）
本発明の実施形態４を図１０に基づいて説明する。上述の実施形態３ではモード切替スイッチ２３に３位置切替のスライドスイッチを用い、このモード切替スイッチ２３の切替操作に応じて、コントロール部１ａの動作モードを、操作モード、グループ設定モード又はアドレス設定モードの何れかに切り替えているが、本実施形態では、実施形態２と同様、タクトスイッチのような押釦スイッチからなるモード切替スイッチ４５を用い、このモード切替スイッチ４５の押釦４５ａを押す毎に、コントロール部１ａの動作モードを、操作モード、グループ設定モード又はアドレス設定モードの何れかに所定の順番で切り替えるようになっている。また、現在の動作モードを表示するための動作モード表示用の発光ダイオードＬＤ３を設けており、コントロール部１ａが発光ダイオードＬＤ３の点灯状態を制御するようになっている。尚、モード切替スイッチ４５以外の構成は実施形態３と同様であるので、共通する構成要素には同一の符号を付して、その説明は省略する。
【００６２】
本実施形態では、図１０（ａ）（ｂ）に示すようにプリント配線板２４の下側部にタクトスイッチからなるモード切替スイッチ４５と、モード表示用の発光ダイオードＬＤ３とを左右に並べて実装してあり、カバー１２の前面に設けた挿通孔２７ｂ内にモード切替スイッチ４５の押釦４５ａを前後移動自在に挿入すると共に、カバー１２の前面に設けた挿通孔２７ｃを通して発光ダイオードＬＤ３のレンズ体を前面側に露出させている。またハンドル本体３１の前面には、モード切替スイッチ４５の押釦４５ａおよび発光ダイオードＬＤ３のレンズ体にそれぞれ対向する部位に挿通孔３７ａ，３７ｂが形成されており、挿通孔３７ａから露出する押釦４５ａをハンドル本体３１の前面側から押操作できるとともに、挿通孔３７ｂを通して発光ダイオードＬＤ３の光を視認可能になっている。
【００６３】
次に本実施形態の動作について説明する。なお、操作モードおよびグループ設定モードにおける動作は実施形態１で説明したのと略同様であり、アドレス設定モードにおける動作は実施形態３で説明したのと略同様であるので、その説明は省略し、動作モードを切り替える際の動作について主に説明する。
【００６４】
このスイッチ（コントロール部１ａ）の動作モードを切り替える際は、扉体３２を開いた状態で、タクトスイッチからなるモード切替スイッチ４５の押釦４５ａを押操作すると、押釦４５ａを押操作する毎に動作モードが例えば操作モード→グループ設定モード→アドレス設定モード→操作モード…のように所定の順番でサイクリックに切り替わるようになっている。
【００６５】
そして、モード切替スイッチ４５を用いて動作モードが操作モードに切り替えられた場合、コントロール部１ａは、動作モードを表示するための発光ダイオードＬＤ３を消灯させるとともに、各個別スイッチ２０およびグループスイッチ２１にそれぞれ対応して設けた発光ダイオードＬＤ１、ＬＤ２を、対応する負荷又はグループのＯＮ／ＯＦＦに応じて赤色（負荷ＯＮ時）或いは緑色（負荷ＯＦＦ時）で点灯させる。この操作モードにおいては、実施形態１で説明したように各個別スイッチ２０又はグループスイッチ２１の操作に応じて、対応する個々のリレーのオン／オフ、或いは、一括制御対象のグループのリレーを一括してオン／オフできるようになっている。
【００６６】
一方、モード切替スイッチ４５を用いて動作モードがグループ設定モードに切り替えられた場合、コントロール部１ａは、発光ダイオードＬＤ３を例えば赤色で点灯させるとともに、上記のグループに登録された個別スイッチ２０に対応する発光ダイオードＬＤ１を赤色点灯させ、且つ、グループに登録されていない個別スイッチ２０に対応する発光ダイオードＬＤ１を消灯させる。このグループ設定モードにおいてグループに登録されている個別スイッチ２０を押操作すると、コントロール部１ａは、この個別スイッチ２０をグループから除外するとともに、対応する発光ダイオードＬＤ１を消灯させる。一方、グループ設定モードにおいてグループに登録されていない個別スイッチ２０を押操作すると、コントロール部１ａは、この個別スイッチ２０をグループに登録するとともに、対応する発光ダイオードＬＤ１を赤色点灯させており、各発光ダイオードＬＤ１の点灯／消灯からグループに登録されている個別スイッチ２０を容易に把握することができる。なお、グループ設定モードでは個別スイッチ２０を押操作しても、対応する負荷をオン／オフすることはできないようになっている。
【００６７】
次に、モード切替スイッチ４５を用いて動作モードがアドレス設定モードに切り替えられた場合、コントロール部１ａは、発光ダイオードＬＤ３を例えば緑色で点灯させるとともに、現在各個別スイッチ２０に割り付けたアドレスの組み合わせに対応する発光ダイオードＬＤ１を点灯させ、それ以外の発光ダイオードＬＤ１を消灯させる。そして、アドレス設定モードにおいて、所望のアドレスが割り当てられた個別スイッチ２０の押釦２０ａを押操作すると、コントロール部１ａは、押操作された個別スイッチ２０に予め割り当ててあるアドレスの組み合わせに基づいて、各個別スイッチ２０のアドレスを設定するとともに、対応する発光ダイオードＬＤ１を点灯させる。
【００６８】
このように本実施形態では、タクトスイッチからなるモード切替スイッチ４５を用い、このモード切替スイッチ４５の押釦４５ａを押操作することによって、動作モードを操作モード、グループ設定モード又はアドレス設定モードの何れかに所定の順番でサイクリックに切り替えることができ、且つ、発光ダイオードＬＤ３により動作モードの表示を行っているので、現在の動作モードを容易に把握することができる。しかもアドレス設定モードにおいては所望の個別スイッチ２０を操作すると、この個別スイッチに予め割り当てておいたアドレスの組み合わせに基づいて、コントロール部１ａが個々の個別スイッチ２０にアドレスを割り付けるようになっているので、実施形態１又は２のスイッチに比べてアドレスを設定する手段（アドレス設定スイッチ２２）を別途設ける必要が無くなり、部品数を減らして操作スイッチ配線器具１の小型化や低コスト化を図ることができる。
【００６９】
また実施形態３のようにモード切替スイッチ２３にスライドスイッチを用いる場合、スライドスイッチでは切替位置が保持されるため、グループ設定やアドレス設定を終了した後にスライド摘み２３ａを操作モードの位置に戻す操作を使用者が忘れると、コントロール部１ａがグループ設定モード又はアドレス設定モードで動作を継続し、負荷のオン／オフ操作が行えなくなる。それに対して本実施形態のようにモード切替スイッチ４５としてタクトスイッチを用いる場合、タクトスイッチは押操作する間だけ接点状態が反転するので、モード切替スイッチ４５の押操作に応じて、コントロール部１ａの動作モードが操作モードからグループ設定モード、或いは、グループ設定モードからアドレス設定モードに切り換えられた際に、コントロール部１ａが、モード切替時より所定の設定時間が経過した時点で動作モードを自動的に操作モードへ戻すようにしても良く、グループ設定モードやアドレス設定モードのままで動作し続けるために、負荷のオン／オフが行えなくなるといった不具合を防止できる。
【００７０】
なお、本発明の精神と範囲に反することなしに、広範に異なる実施形態を構成することができることは明白なので、この発明は、特定の実施形態に制約されるものではない。
【図面の簡単な説明】
【００７１】
【図１】実施形態１の操作スイッチ配線器具の分解斜視図である。
【図２】同上を示し、（ａ）は扉体を閉じた状態の正面図、（ｂ）は扉体を開いた状態の正面図である。
【図３】同上を右側から見た側面図である。
【図４】同上を示し、（ａ）はハンドル部材を外した状態の説明図、（ｂ）はＡ部拡大図である。
【図５】同上のブロック図である。
【図６】実施形態２の操作スイッチ配線器具の分解斜視図である。
【図７】同上を示し、（ａ）は扉体を開いた状態の正面図、（ｂ）はハンドル部材を外した状態の正面図である。
【図８】同上の他の構成を示し、扉体を開いた状態の正面図である。
【図９】実施形態３の操作スイッチ配線器具を示し、（ａ）は扉体を開いた状態の正面図、（ｂ）はハンドル部材を外した状態の正面図である。
【図１０】実施形態４の操作スイッチ配線器具を示し、（ａ）は扉体を開いた状態の正面図、（ｂ）はハンドル部材を外した状態の正面図である。
【図１１】従来の遠隔監視制御システムの概略構成図である。
【図１２】（ａ）〜（ｃ）は同上に用いる伝送信号の説明図である。
【図１３】遠隔監視制御システムに用いる操作スイッチ配線器具を示し、（ａ）は正面図、（ｂ）は化粧カバーを外した状態の正面図、（ｃ）は化粧カバーの正面図である。
【符号の説明】
【００７２】
１  操作スイッチ配線器具
２０  個別スイッチ
２１  グループスイッチ
２３  モード切替スイッチ
【図１】
0004696849.tif 000002
【図２】
0004696849.tif 000003
【図３】
0004696849.tif 000004
【図４】
0004696849.tif 000005
【図５】
0004696849.tif 000006
【図６】
0004696849.tif 000007
【図７】
0004696849.tif 000008
【図８】
0004696849.tif 000009
【図９】
0004696849.tif 000010
【図１０】
0004696849.tif 000011
【図１１】
0004696849.tif 000012
【図１２】
0004696849.tif 000013
【図１３】
0004696849.tif 000014